Podtech/llm-jp-corpus-v4-ja_patent huggingface dataset:
(57)【要約】【課題】使い勝手が良く効率的な調理鍋を提供する。【解決手段】有底筒状体の外鍋２の内側に小径の有底筒状体から成る内鍋３を設け、外鍋２と内鍋３の間に真空層を形成し、前記内鍋は底部上方に凸部６を形成し、この凸部６の内鍋底面にシーズヒータ７を溶接にて取り付け、凸部６の略中心の底面に前記シーズヒータ７制御用の温度センサ８を設けたので、加熱効率に優れ、且つ、二重断熱構造であるため火災の防止や火傷の防止ができ極めて安全で保温性の良好な調理鍋を提供する。【選択図】図１
2006311909.tif 000002
【特許請求の範囲】
【請求項１】
有底筒状体の外鍋の内側に小径の有底筒状体から成る内鍋を設け、外鍋と内鍋の間に真空層を形成し、この内鍋底面にシーズヒータを設けた事を特徴とする調理鍋。
【請求項２】
有底筒状体の外鍋の内側に小径の有底筒状体から成る内鍋を設け、外鍋と内鍋の間に真空層を形成し、前記内鍋は底部上方に凸部を形成し、この凸部の内鍋底面にシーズヒータを溶接にて取り付け、凸部の略中心の底面に前記シーズヒータ制御用の温度センサを設けた事を特徴とする調理鍋。
【請求項３】
前記外鍋又は内鍋をステンレス材料で構成した請求項１記載の調理鍋。
【発明の詳細な説明】
【技術分野】
【０００１】
この発明はラーメン店等で使用する業務用の調理鍋に係るものである。
【背景技術】
【０００２】
従来より飲食業における厨房は、狭いうえ高温多湿であり、且つ火傷や火災の危険もあり労働環境は極めて苛酷なものであった。
また、ラーメン店等で多用される寸胴鍋は、ガスコンロにて温度調節を調理人が手動で行っていたので熱効率も極めて低く、鍋自身の保温性も低いものだった。
また、鍋の内側に着脱自在のヒータを取り付けて直接鍋内の水を加熱することで熱効率を向上させる調理鍋も有った。（例えば、特許文献１参照）
【特許文献１】特開２００４−５７７７０号公報
【発明の開示】
【発明が解決しようとする課題】
【０００３】
しかし、この従来のガスコンロでの手動による調理は、熱効率が悪く、且つ、調理の時間常に火加減を調理人が調節することが必要なものであった。
また、鍋の内側に着脱自在のヒータを取り付けて直接鍋内の水を加熱するものは、熱効率には優れていたが、ヒータが内部にむき出しであるために、スープの具やオタマ等の調理器具がヒータに引っかかり使い勝っての悪いものだった。
【課題を解決するための手段】
【０００４】
そこで、本発明は上記課題を解決するため、有底筒状体の外鍋の内側に小径の有底筒状体から成る内鍋を設け、外鍋と内鍋の間に真空層を形成し、この内鍋底面にシーズヒータを設けたものである。
【０００５】
有底筒状体の外鍋の内側に小径の有底筒状体から成る内鍋を設け、外鍋と内鍋の間に真空層を形成し、前記内鍋は底部上方に凸部を形成し、この凸部の内鍋底面にシーズヒータを溶接にて取り付け、凸部の略中心の底面に前記シーズヒータ制御用の温度センサを設けたものである
また、前記外鍋又は内鍋をステンレス材料で構成したものである。
【発明の効果】
【０００６】
以上のように、本発明によれば、加熱効率に優れ、且つ、保温性の良好で使い勝っての良い調理鍋を提供できるものである。
また、二重断熱構造であるため火災の防止や火傷の防止ができ極めて安全である。
【発明を実施するための最良の形態】
【０００７】
次に、本発明の一実施形態を図面に基づいて説明する。
【実施例１】
【０００８】
１はラーメン店や食堂で多用され、ラーメン鍋と呼ばれる事もある寸胴鍋で、ステンレス製で有底筒状体の外鍋２（約直径５１０ｍｍ×高さ６００ｍｍ）の内側に、同じくステンレス製で外鍋２よりも小径の内鍋３（約直径４９０ｍｍ×高さ５５０ｍｍ）を有底筒状に形成し、前記外鍋２と内鍋３の間に空間４を設けている。
【０００９】
前記内鍋３の底面５は円錐状に凸部６を形成し、この凹み部６の底面に扁平状で約５ｋｗのシーズヒータ７を巻回して溶接にて底面に取り付けるものである。
【００１０】
前記底板５の略中心部で凸部６の中心にはサーミスタセンサ等からなる温度センサ８を備え、間接的に内鍋３内の温度を測定して、前記シーズヒータ７のＯＮ−ＯＦＦ制御にてシーズヒータ７の加熱制御を行うものである。
【００１１】
前記シーズヒータ７の端子と、温度センサ８の端子は外鍋２に設けた取出口９から鍋１外に引き出されて制御装置１０や電源コンセント１１に接続されるものである。
【００１２】
前記外鍋２と内鍋３の上部は溶接によって接続され、前記取出口９も樹脂材料等で密封されると共に、外鍋２と内鍋３の間の空間を真空状態にする事で内鍋３からの熱の発散を防止するものである。
【００１３】
１２は蓋で中央に取手１３備え、内部を二重の真空構造に形成され蓋１２からの熱の放散を防止するものである。
この実施例では外鍋２と内鍋３の材質をステンレスを使用したが、銅やモリブデン鋼を使用しても同じ効果が得られるものである。
【００１４】
１４は鍋１の側面等に取り付けられた運転スイッチで、押圧により制御装置１０に信号を発して、リレー１５を介してシーズヒータ７の運転を行うものである。
【００１５】
作動について説明すれば、鍋１内には約１００リットルの水が入り、運転スイッチ１４の押圧によりシーズヒータ７の通電が始まり、約２時間かけて水が沸騰し、その後温度調節スイッチ１６によって設定された所定の温度を保つように制御装置１０にてシーズヒータ７の通電を制御するものであり、おもにラーメンのスープを大量に作るために長時間連続で使用するものであり、ガスコンロを使用する事に比べ、加熱効率に優れ、且つ、保温性の良好で使い勝っての良い調理鍋を提供できるものである。
【００１６】
また、二重断熱構造であるため保温性が高く、火災の防止や火傷の防止ができ極めて安全である。
また、内鍋３の底面は円錐状の凸部６で有るため、鍋１内の自然対流を促進し鍋１内の温度ムラを防止して比較的均一に加熱を行うことができるものである。
【００１７】
また、内鍋３の内面は滑らかで有るために、調理中に調理器具が引っかかったり、内部の材料が鍋内に挟まったりするようなこともなく、実に使い勝っての良い寸胴鍋を提供するものである。
【図面の簡単な説明】
【００１８】
【図１】この発明の一実施例を付した調理鍋を示す概略断面図。
【符号の説明】
【００１９】
２  外鍋
３  内鍋
５  底面
６  凸部
７  シーズヒータ
８  温度センサ
【図１】
2006311909.tif 000003
(57)【要約】      （修正有）【課題】歯ブラシを使っても  薬液で洗い流しても  嗽いをしても  歯と歯の間の沈着物並細菌は除去されないケースに適応できる歯間治療器を提供する。【解決手段】把柄先端に粘膜を被傷しないように、ボールを設け、護謨キャップ１を挟着可能に設け、護謨キャップの中心には射出口２を設ける。護謨キャップを把柄先端に嵌め込んで、射出口より薬液を歯間に高圧射出する。護謨キャップは歯間に密着し、薬液は口腔全般に散乱しない。ポンプには、蓄圧器を設ける。【選択図】図１
2006311979.tif 000002
【特許請求の範囲】
【請求項１】
最も高い発症部位出あると呼称する歯間からの疾病を予防し現代病と言われる歯周病の進行を阻止すべく  薬液を高圧射出可能に設けて成る歯間治療器である
【請求項２】
さらに治療の効果を高め  歯間に密着するように把柄の先端に護謨キャップを嵌め込んだことを特徴とする歯間治療器である
【発明の詳細な説明】
【技術分野】
【０００１】本発明は歯科加療用器具を提供せんとする
最も高い発症部位である歯間の齲蝕並歯乳頭の潰瘍（初期歯槽膿漏）の予防
或は現代病と言われる歯周病の治療を施さんとするものである
【背景技術】
【０００２】同じような口腔治療用器具並薬剤は数多く利用されているのであるが
特に水溶液を射出する器具は歯牙の表面又は歯槽部の付着物を一時的に洗い落すだけに留り実質治療の域に達しない
ましては虫歯の浸蝕や歯周炎の最も高い発生個所であると呼称されている歯間に留意されていない
例え    歯周炎の治療は長期に及び  然も加療を中止すれば即再発発症する    やがて抜歯の止むなきに至る
【発明の開示】
【発明が解決しようとする課題】
【０００３】歯ブラシを使っても    単に薬液で洗い流しても  嗽いをしても歯間の沈着物或は細菌は簡単には除去されない
若い者程に歯間は乳頭で閉鎖されて唾液で保護されているのだが歳毎に漸次乳頭の退縮が始まり  予防治療を行わないと沈着物又は細菌の刺激によって潰瘍を誘発し歯周炎の素因を形成する
歯周炎が進行（歯槽膿漏）すれば歯乳頭は益々退縮して歯間に隙間が出来て出血或は膿汁等が出るようになり  やがて歯間歯面の琺瑯質と象牙質の最も弱い部分が露出し虫歯の浸蝕も始まる
尚沈着物が介在するので器物（爪楊枝）等を押込んで除去すれば被傷して虫歯並歯槽膿漏症は益々進行する  合わせて理学的に漸次ポケットが深まり歯間は大きく開いて歯槽骨の吸収が高まる
【課題を解決するための手段】
【０００４】前記するように歯間の治療は非常に面倒である
本発明は薬水の射出力をもって予防と治療を施さんとするものであり  さらに効果を高め確実なものとするために請求項第二項に示す如く  薬水が口腔全般に散乱せず  歯間のみに特定して射出可能に歯面と歯槽部に密着する護謨キャップを把柄先端に嵌め込んで設けた事を特徴とする治療器であって
汚物の除去  沈着物の溶解  細菌の繁殖を防止  乳頭の退縮を防する
尚医院用外として各個人が容易に取扱い予防治療の自己管理可能にコンパクトに調節せんとする用意もある
【発明を実施するための最良の形態】
【０００５】本発明は薬水の射出力をもって歯間の予防とか治療を施さんとする治療器であるが
ポンプの排出量並排出力と治療器の射出口の直径（口径）との調整は非常にむずかしい    本発明は数種の小型モーター並ポンプ等を集めテストした結論としてウオッシャポンプが最適と仮定して治療に適する排水量並排出力と射出口１ミリの口径に及ぼす作用等を研究した結論を本図面上に表しました
更に治療の効果を高め  確実に求めるためにも図面第１２３図に示す如く  薬水が口腔全般に散乱することなく歯間のみに特定して射出可能に  歯面と歯槽面に密着するように整型された護謨キャップ▲１▼を脱着自在に設けて成る治療器であり    前歯用と旧歯用に区分する【０００６】把柄▲６▼の先端は粘膜を被傷しないようにボール▲８▼を設け護謨キャップ▲１▼を挟着可能に設け該キャップの中心には射出口▲２▼を設けポンプ等のトラブルで射出力に異常を生ずる場合でも伸縮自在に畜圧器▲１０▼が反応調整する【０００７】発明の目的は歯間の汚物の除去  沈着物の溶解  細菌の繁殖防止歯間乳頭の退縮の防止其の他を施術可能であることであるが単に薬水を流し込むだけでは目的を達することはできず  反対に射出力が余りにも強力であってもポケット（盲嚢）や軟組織が被傷する憂いもあるし口腔内に射出された使用済み薬水（排水）の排出もあるので図４の略図を説明するに
モーター▲９▼によって作動するポンプ▲１１▼の吸水管▲１２▼は薬槽に継ぎ畜圧器▲１０▼を経て射出管▲１３▼は把柄▲７▼に継ぎ排唾管▲１５▼は口腔内の使用済排薬液を吸引して排出管▲１４▼に継ぎ  一個のモーターで２個のポンプを作動する  尚畜圧器▲１０▼の内圧が高まると作動弁が薬液逆送管▲１６▼まで圧接され薬槽に逆送する
図１を説明すれば
護謨キャップ▲１▼のほぼ中心には射出口▲２▼があり上部は歯形下部は歯槽に区分された整型面を有する
図２の▲４▼は歯牙であり▲５▼は歯槽部である
図３の把柄▲６▼の先端はボール▲８▼を設け護謨キャップ▲１▼を嵌入する
【図面の簡単な説明】
【０００８】
【図１】歯間に密着するように整型された護謨キャップの接面を表す平面図
【図２】操作要領を示す平面図
【図３】護謨キャップが歯面と接触し把柄の先端の球体に嵌着した様態を示す側面図
【図４】専用ポンプの概要を示す略図
【符号の説明】
【０００９】
【１】  護謨キャップ
【１１】  射出ポンプ
【２】  射出口
【１２】  薬槽に継ぐ管
【３】  歯槽接着面
【１３】  射出管に継ぐ管
【４】  歯冠（歯牙）
【１４】  排水管に継ぐ
【５】  歯槽部
【１５】  排出管に継ぐ
【６】  把柄
【１６】  逆送管（薬槽え）
【７】  射出管
【１７】  開放管
【８】  把柄先端ボール状突起
【９】  モーター
【１０】  畜圧器
【図１】
2006311979.tif 000003
【図２】
2006311979.tif 000004
【図３】
2006311979.tif 000005
【図４】
2006311979.tif 000006
(57)【要約】      （修正有）【課題】生理ナプキン、尿漏れパッド等において、平面構造のウイングに、下腹部臀部の曲線にフィットする立体構造を持たせる。【解決手段】ウイングを折り返した際に生じる内回りと外回りの長さの差を、切り込み、またはギャザーによって解消する。【選択図】図１
2006311980.tif 000002
【特許請求の範囲】
【請求項１】
生理用ナプキン、、尿漏れパッド、乳児、幼児用おむつなど下腹部臀部にパンツなど下着の上から装着するパッド。
【発明の詳細な説明】
【技術分野】
【０００１】本発明は生理用ナプキン、尿漏れパッドのウイングの開発に関する。
【背景技術】
【０００２】現在市販されているウイング付きナプキンは、ナプキンの固定に飛躍的に貢献した。
【発明の開示】
【発明が解決しようとする課題】
【０００３】しかし上記ウイングはどれも平面構造をしており、下腹部、臀部の立体構造に対応していない。【０００４】ナプキンは、下腹部、臀部に装着した際Ｕ字型に曲り、ナプキン、ショーツの厚みの分だけ内回りと外回りの長さに差が生じる（約２ｃｍ）。【０００５】平面構造に作られ、内回り分の長さしか持たないウイングを折り返して外回りに装着すれば、長さ不足から、装着不具合（ウイングのはずれ、よれ、ずれ）が生じる。
【解決手段】
立体構造の内回りと外回りの長さの差を、セパレート式、またはギャザー式によって解決する。
どちらも、折り返した際、三方に分かれたウイングの二ヶ所に約１ｃｍゆとりができ、立体構造に対応する。
【図１】
2006311980.tif 000003
【手続補正書】
【提出日】平成17年7月19日(2005.7.19)
【手続補正１】
【補正対象書類名】明細書
【補正対象項目名】全文
【補正方法】変更
【補正の内容】
【発明の詳細な説明】
【技術分野】
【０００１】本発明は生理用ナプキン、尿漏れパッドのウイング部分の開発に関する。
【背景技術】
【０００２】現在市販されているウイング付きナプキンは、ナプキンの固定に飛躍的に貢献した。
【発明の開示】
【発明が解決しようとする課題】
【０００３】しかし上記ウイングはどれも下腹部、臀部の立体構造に対応していない。【０００４】ナプキンは、下腹部、臀部に装着した際Ｕ字型に曲り、ウイング部分が″つれて″しまうため、少しの動きでショーツから″はずれる″、または″よれる″ことに依り不快の原因となる。
【解決手段】
【０００５】ウイング部分をセパレート式、またはギャザー式に加工することに依り、上記の課題を解決する。
【図面の簡単な説明】
【０００６】
【図１】ＡとＢは現在市販されているナプキンで、Ａは装着する前、Ｂは装着時の形態を示す。▲１▼と▲２▼はウイング部分で、装着時はさらに矢印方向へ折られる。そのためａの長さは、ｂに較べて約２ｃｍ長くなければ、つれてはがれてしまう。ＣとＤが以上の問題点を解決する二つの加工方法である。Ｃはセパレート式、Ｄはギャザード式のウイングである。
【手続補正２】
【補正対象書類名】図面
【補正対象項目名】全図
【補正方法】変更
【補正の内容】
【図１】
2006311980.tif 000004
(57)【要約】【課題】  この発明は、腕が伸びないようにする器具を用いることにより、補助者の介添えなしに、子どもが自力で逆上がりの練習をすることのできる補助具を得ることを課題とするものである。【解決手段】  この発明の逆上がり補助具は、帯体１の両端部に、端部同士を固着するための固着具を設けると共に、帯体の中央部に前記端部同士の固着部を被覆固定する補助片４，５を設けて構成し、前記帯体１を背中から脇の下を通して左右の上腕部を巻き込んだ状態で帯体の両端部を固着し、固着部を前記補助片４，５で被覆するようにしたものである。  帯体１によって子どもの左右上腕部は帯体で巻き込まれているので、上腕部を前方に伸ばそうとしても伸ばすことができない。したがって、逆上がりの初期動作時に腕が伸びることがなく、腹部が鉄棒から離れないので、自力で無理なく逆上がりを行うことができる。【選択図】  図１
2006311934.tif 000002
【特許請求の範囲】
【請求項１】
帯体の両端部に、端部同士を固着するための固着具を設けると共に、帯体の中央部に前記端部同士の固着部を被覆固定する補助片を設け、前記帯体を背中から脇の下を通して左右の上腕部を巻き込んだ状態で帯体の両端部を固着し、固着部を前記補助片で被覆するようにした、逆上がり補助具
【請求項２】
固着具は面ファスナーとし、補助片に固着部を被覆した状態で固定するための面ファスナーを取り付けた、請求項１記載の逆上がり補助具
【発明の詳細な説明】
【技術分野】
【０００１】
この発明は、鉄棒の逆上がりを練習するための補助具に関するものである。
【背景技術】
【０００２】
小学生や幼児は体育の授業などで鉄棒の逆上がりが課題とされるが、これを収得できない子どもも多い。逆上がりが収得できない大きな原因は、初期動作時に腕が伸びて、腹部と鉄棒とが離れてしまうことにある。
【特許文献１】特開２０００−２９６１８４号公報
【０００３】
上記特許文献の発明は、腰部ベルト、腹部ベルト、背部ベルトで子どもに固定し、前記各ベルトの左右の結合部に紐の基端を連結した構成で、逆上がりを行う子どもの後に補助者が立ち、初期動作時に補助者が紐を引くことにより、初期動作時に腹部を鉄棒に近接させるようにしたものである。
【発明の開示】
【発明が解決しようとする課題】
【０００４】
上記特許文献の発明は、補助者がいなければ練習することができない。また、子どもにとっては、補助者の力添えによって逆上がりができた、ということになり自分でできた、自力でできたという達成感を得ることもできない。
この発明は、腕が伸びないようにする器具を用いることにより、補助者の介添えなしに、子どもが自力で逆上がりの練習をすることのできる補助具を得ることを課題とするものである。
【課題を解決するための手段】
【０００５】
この発明の逆上がり補助具は、帯体の両端部に、端部同士を固着するための固着具を設けると共に、帯体の中央部に前記端部同士の固着部を被覆固定する補助片を設けて構成し、前記帯体を背中から脇の下を通して左右の上腕部を巻き込んだ状態で帯体の両端部を固着し、固着部を前記補助片で被覆するようにしたものである。
前記帯体は、柔軟な布が皮膚への負担が少ないので好ましいが、合成樹脂地、革など適宜使用することもできる。両端部の固着具は面ファスナーが使いやすいが、ボタンその他の係止具を用いることもできる。前記補助片は、前記帯体両端部の固着部を被覆することにより内外二重になる帯体をまとめるためのものであり、図に示すように上下に突出させるほか、上部又は下部のみに帯体を被服できる大きさのものを突出させてもよい。固着部を被覆した状態で固定するための面ファスナーを取り付ることが好ましい。
【発明の効果】
【０００６】
この発明の逆上がり補助具は、帯体の中央部を子どもの背中に当て、左右を脇の下を通して上腕部を巻き込んで背中に導き、両端部を結合固着する。次いで帯体中央部に設けられた補助片で前記帯体の固着部を被覆して、内外二重になっている帯体がばらばらにならないようにまとめる。
この状態において、子どもの左右上腕部は帯体で巻き込まれているので、上腕部を前方に伸ばそうとしても伸ばすことができない。したがって、逆上がりの初期動作時に腕が伸びることがなく、腹部が鉄棒から離れないので、自力で無理なく逆上がりを行うことができる。
【発明を実施するための最良の形態】
【０００７】
布製の帯体１の一端部表面及び他端部裏面に互いに係合する面ファスナー２，３が取り付けてあり、帯体１の中央部上下には補助片４，５が設けてある。各補助片４，５は前記帯体１とほぼ同じ幅であって、一方の補助片４の表面及び他方の補助片５の裏面には互いに係合する面ファスナー６，７が取り付けてある。
【０００８】
上記のように構成された逆上がり補助具を使用するときは、図２，図３に示すように帯体１の中央部を子どもの背中１１に当て、脇の下を通して左右の上腕部１２を巻き込み、両端部を背中側へ導き、端部同士を面ファスナー２，３で結合固着する。次いで、補助片４，５を折り返して前記面ファスナーで固着された帯体１の両端部を被覆し、両補助片同士を面ファスナー６，７で固定する。
【０００９】
この状態で、子どもの上腕部１２は帯体１で巻き込まれているので、背中側へは自由に動かすことができるが、前方へ動かすことはできない。そのために、鉄棒を掴んだとき、鉄棒と子どもの腹部との距離は下腕部の長さ以上に離れることはない。したがって、この補助具を使用しないときには腕が伸びてしまう子どもであっても腕は伸びないので、逆上がりができない大きな原因である腹部が鉄棒から離れてしまうという現象が生じることはなく、逆上がりを行うことができる。
また、装着時において内外の帯体１は補助片４，５でくるまれて一体化されているので、子どもが上腕部を後側に移動させたときにおいても、補助具がずり落ちることがない。
【産業上の利用可能性】
【００１０】
この発明は、逆上がりのできない子どもであっても補助者なしで自力で逆上がりをすることができるものであって、子どもに達成感を感じさせることのできる逆上がり補助具として、産業上の利用可能性を有するものである。
【図面の簡単な説明】
【００１１】
【図１】この発明実施形態の正面図
【図２】装着状態の正面図
【図３】装着状態の断面図
【符号の説明】
【００１２】
１    帯体
２，３  面ファスナー
４，５  補助片
６，７  面ファスナー
１１    背中
１２    上腕部    
【図１】
2006311934.tif 000003
【図２】
2006311934.tif 000004
【図３】
2006311934.tif 000005
(57)【要約】【課題】  床やイス、壁などに簡単に貼付け取外しができ、立位、座位、臥位のいずれの姿勢でも使用でき、背中や首肩腰の背面、足裏のマッサージや指圧が簡単にできる小型、軽量、持ち運びが便利なマッサージ指圧具を提供する。【解決手段】  突起型押圧具の底面に、貼り外し可能な粘着性接着剤を取り付けたことを特徴とするマッサージ指圧器である。【選択図】  図１
2006311981.tif 000002
【特許請求の範囲】
【請求項１】
突起型押圧具の底面に貼り外し可能な粘着性接着剤を取り付け、貼り外し可能な粘着性接着剤の使用が有効である被接着面に貼り付けてマッサージや指圧ができることを特徴とするマッサージ指圧器具。
【発明の詳細な説明】
【技術分野】
【０００１】  本発明は、床やイス、壁などに簡単に貼付け取外しができ、立位、座位、臥位のいずれの姿勢でも使用でき、自ら背中や首肩腰の背面、足裏のマッサージや指圧が簡単にできる小型、軽量、持ち運びが便利なマッサージ指圧器に関するものである。
【背景技術】
【０００２】  従来、マッサージ指圧器は臥位か座位の特定の姿勢で使用するものが多かった。
椅子の背もたれにマッサージや指圧具を備え付けた大掛かりなものもある。
押圧具を取り付けた布や板を椅子の背に掛ける方式もある（特許文献１と２参照）。
磁石や吸盤を用いて、押圧部分を基台に取り付けたり器具全体を壁に固定したりするものもある（特許文献３参照）。
【特許文献１】特開２００１−１０４４４９号
【特許文献２】特開２００３−３２５６３７号
【特許文献３】特開平９−２７６３５８号
【発明の開示】
【発明が解決しようとする課題】
【０００３】  次のような問題点があった。
（イ）臥位姿勢は限られた場所や時間でしかとれないため使用機会を逸することがあった。
（ロ）椅子式マッサージ器は大型高価なものが多く、狭い場所での使用は困難であった。
（ハ）布掛け式のものは椅子により押圧具の設置が面倒で持ち運びに便利とは言えなかった。
（ニ）磁石式設置法は被接着面が磁石対応でなければならず、吸盤式も被接着面がなめらかな素材に制限された。
本発明は、これらの問題点を解決するためになされたものである。
【課題を解決するための手段】
【０００４】  突起型押圧具の底面に、貼り外し可能な粘着性接着剤を取り付けたことを特徴とするマッサージ指圧器である。
【発明の効果】
【０００５】  （イ）立位、座位、臥位のいずれでも使用することができる。
（ロ）首用、肩用、腰用、足用などいずれの部位にでも使用できる。
（ハ）狭い場所でも使用可能になる。
（ニ）小型軽量で持ち運びや保管にスペースをとらない。
（ホ）接着に不都合な素材上で使用する場合でも、手近なプラスチックや紙シートなどに貼って患部に当てることができる。
（ヘ）布団など柔らかい素材上で使用するには、手近なプラスチックや木製等の板に押圧具を貼って患部に当てることができ、簡易的にマッサージ指圧できる。
【発明を実施するための最良の形態】
【０００６】  以下、本発明の実施の形態について説明する。
（イ）突起型押圧部分（１）の底面周囲に縁（２）を設ける。
（ロ）突起型押圧部分（１）の底面周囲と縁（２）底面に、貼り外し可能な粘着性接着剤（３）を貼る。
（ハ）粘着接着面を床や壁、椅子等の使用箇所（４）に貼って使用する。
（ニ）使用場所の被接着面が粘着性接着剤使用に不適当な場合は、予め固定用シート（プラスチックや紙などのシート）（５）に突起型押圧具を貼り、シートごと使用箇所に設置して用いる。
（ホ）使用場所の素材が柔らかく押圧に不適当な場合は、予め固定用板（プラスチックや木製などの板）（６）に突起型押圧具を貼り板ごと使用箇所に設置して用いる。
【図面の簡単な説明】
【０００７】
【図１】本発明の斜視図
【図２】本発明の縦断図
【図３】本発明の使用状態を示す概念図
【図４】本発明の使用状態を示す斜視図
【図５】本発明の使用状態を示す斜視図
【図６】本発明の使用状態を示す斜視図
【図７】本発明の使用状態を示す斜視図
【符号の説明】
【０００８】  １  突起型押圧具の押圧部
２  縁
３  粘着性接着剤
４  被粘着面
５  固定用シート
６  固定用板
【図１】
2006311981.tif 000003
【図２】
2006311981.tif 000004
【図３】
2006311981.tif 000005
【図４】
2006311981.tif 000006
【図５】
2006311981.tif 000007
【図６】
2006311981.tif 000008
【図７】
2006311981.tif 000009
(57)【要約】【課題】  グリル用焼き網における焼き物の焼き付き、また、いか、たこなどの柔らかい焼き物における焼き網の隙間からの落下。使用後における焼き付いた焼き物の洗い作業の煩わしさを解決するグリル用焼きプレートを提供する。【解決手段】  グリル庫に出し入れ自在のグリルパンに取り付けるため、前後一対の脚部と該脚部に固着保持される焼きプレート部とを備えたグリル用焼きプレートであって、焼きプレート表面には、焼き付き防止のために焼き付き防止処理を施し、かつ、一定間隔ごとに隙間を設けたことを特徴とするグリル用焼きプレート。【選択図】図１
2006311985.tif 000002
【特許請求の範囲】
【請求項１】
プレート表面に焼き付き防止処理を施し、そのプレートに一定の間隔で隙間を設け、そのプレート下部に、前後一対の脚部を設けたグリル用焼きプレート。
【発明の詳細な説明】
【技術分野】
【０００１】  本発明は、グリル庫に出し入れ自在のグリルパンに取り付けるための前後一対の脚部と該脚部に固着保持される焼きプレート部とを備えた、グリル用焼きプレートに関する。
【背景技術】
【０００２】  従来は、グリル庫内のグリルパンにセットしてあるグリル用焼き網を使用する。
【発明の開示】
【発明が解決しようとする課題】
【０００３】  上記グリル用焼き網には、次のような問題点を有している。
イ．魚の皮、身が焼き網に付きやすく綺麗に焼き上げるのが難しい。
ロ．焼き網に付いた焼き物の汚れを洗い落とす作業が煩わしい。
ハ．焼き網の隙間が広いため、いか、たこなどの柔らかいものは焼き網の隙間から落下しやすく、上手に焼くことが難しい。
本発明は、以上の問題点を解決するグリル用焼きプレートを提供する。
【課題を解決するための手段】
【０００４】  上記課題を解決するために本発明は、グリル庫に出し入れ自在のグリルパンに取り付けるため、前後一対の脚部と該脚部に固着保持される焼きプレート部とを備えたグリル用焼きプレートであって、焼きプレート表面には、焼き付き防止のために焼き付き防止処理を施し、かつ、一定間隔ごとに隙間を設けたことを特徴とする。
【発明の効果】
【０００５】  プレートの焼き上げ部分を平面にし、また、隙間を設け、表面に焼き付き防止処理を施すことにより、焼き物が綺麗に焼きあがり、汚れが付きにくくなりその結果、洗いやすく、また、焼き物の落下が防止できる。
【発明を実施するための最良の形態】
【０００６】  以下、本発明の実施の形態を説明する。
プレート１の表面に焼き付き防止処理を施し、また、プレート１に一定間隔の隙間２を設け、プレート１下部の前後に一対の脚部３を設ける。
【実施例】
【０００７】  本発明を使用するときは、一般家庭用ガステーブルのグリル庫内のグリルパンの上に乗せて使用する。
プレート上の焼き物には、上部グリルバーナーから直接火があたり、下部グリルバーナーの火は、プレートに空けられた隙間よりあたる。また、余分な焼き物の脂や汁等はプレートの隙間から受け皿のグリルパンに落下するので、焼き物を綺麗に焼き上げることができる。更に使用後は、プレート表面に施された焼き付き防止処理により汚れを簡単に洗い流すことができる。
【図面の簡単な説明】
【０００８】
【図１】本発明の斜視図
【図２】本発明の正面図
【図３】本発明の右側面図
【符号の説明】
【０００９】１  プレート
２  隙間
３  脚部
【図１】
2006311985.tif 000003
【図２】
2006311985.tif 000004
【図３】
2006311985.tif 000005
(57)【要約】【課題】運動時等の収納の少ない衣類の収納機能を補完するするとともに、動作を妨害することなく小物を携行できる小物入れつきアームバンドを提供する。【解決手段】アームバンドの本体１に小物入れポケット２・４を装着することによって、小物を濡らすことなく、またブレることなく携行できるようにする。【選択図】図１
2006311989.tif 000002
【特許請求の範囲】
【請求項１】
伸縮性のアームバンドに小物入れをつけることによって、ポケット等の収納機能の少ない衣類等でのジョギング等の運動の際においても、動作を妨げず小物等を携行できるようにした小物入れ付きアームバンド。
【発明の詳細な説明】
【発明の詳細な説明】
【技術分野】
【０００１】本発明は、運動時等のポケット等の収納機能の少ない衣類等の収納機能を補完するために、アームバンドに小物入れを装着し、努めて運動を妨げることなく、小物等を携行できるようにしたものである。
【将来の技術】
【０００２】従来は、小物入れのついたアームバンドはなかった。
【発明が解決しようとする課題】
【０００３】夏季のジョギングなどの運動の際、薄着で運動する場合は、家の鍵や小銭、ＭＰ３プレーヤー等の小物は、収納するところがなく、またウエストポーチ等に収納した場合は、運動の邪魔になるとういう難点があった。本発明は、この課題を解決するためになされたものである。
【課題を解決するための手段】
【０００４】  アームバンドの本体１に小物入れポケット２・４を装着することによって、鍵や小銭等の小物を入れ、携行できるようにした。また、小物ポケット２内に防水処置１０を施し、発汗などにより小物がぬれるのを防止するとともに、固定バンド６を装着することにより、運動時の小物のブレを防止し、邪魔にならないようにした。更に、運動時にＭＰ３プレーヤー等で音楽を聴けるようポケット４に天窓８をつけてヘッドホンケーブル等を接続できるようにした。
【発明を実施するための最良の形態】
【０００５】以下、本発明の実施の形態について説明する。
（イ）．アームバンドの本体１の小物ポケット取り付け線３の部分に小物ポケット２、ポケット取り付け線５にポケット４をとりつける。小物入れ口９の部分を除いてポケット２・４をそれぞれ本体１に縫いつける。
（ロ）．小物ポケット２の内部にビニール又はナイロン等を縫いつけ、防水処置１０を施す。
【発明の効果】
【０００６】収納の少ない衣類でもポケット２に小銭、ＭＰ３プレーヤー及びカード型ラジオ等を入れることで濡れることなく、また、鍵などを固定バンド６で固定することで運動時ブレることなく、濡れることなく、また、脱落することなく携行できる。
【図面の簡単な説明】
【図１】本発明の正面図である。
【図２】本発明の断面図である。
【符号の説明】
１  アームバンド本体
２  小物ポケット
３  小物ポケットとりつけ線
４  ポケット
５  ポケットとりつけ線
６  固定バンド
７  ファスナー
８  天窓
９  小物入れ口
１０  防水処置
【図１】
2006311989.tif 000003
【図２】
2006311989.tif 000004
(57)【要約】【課題】  多数の粒状の永久磁石を任意に嵌め込んだ磁気伝達把持部を提供する。【解決手段】  把持部の各面に小穴を多数かつ任意位置に穿ち、その小穴に粒状の永久磁石を嵌め込み、接着液にて固定したことを特徴とする磁気伝達把持部。【選択図】  図１
2006311986.tif 000002
【特許請求の範囲】
【請求項１】
健康器具の一部を構成する把持部の表面に小穴を多数かつ任意の位置に穿ち、小穴は、くぼみ部に嵌入させる粒状の永久磁石が把持部表面より若干、凸起する深さに加工し、小穴に永久磁石を嵌入して后、接着液、接着テープ、あるいは熱収縮性プラスチックチユーブで把持部に固定することを特徴とする磁気伝達把持部。
【発明の詳細な説明】
【技術分野】
【０００１】  本発明は永久磁石を嵌め込んだ健康器具の磁気伝達把持部に関するものである。
【背景技術】
【０００２】  従来の把持部は運動動作に対応して体位を平衡に保つ役目のみを司つていた。
【発明の開示】
【発明が解決しようとする課題】
【０００３】  そのため従来の把持部は体位を平衡維持する機能のみを持ち把持動作中に起こる手や肩の凝りを防ぐことは出来なかつた。本発明は、この凝りを緩和するためになされたものである。
【課題を解決するための手段】
【０００４】  健康器具の一部を構成する把持部の表面に多数の小穴を随意な位置に穿ち、この小穴に医療用の粒状永久磁石を嵌め込んで固定する。以上を特徴とする磁気伝達把持部を提供する。
【発明の効果】
【０００５】  本発明は以上のような構成であるから、適用する把持部は歩行用杖の握り部をはじめ自転車のハンドルグリップ部、屈伸運動具バー、手摺部等、健康器具全般に巾広く応用できる。また磁気伝達把持部を常用することによつて、壺押し効果や血行促進作用が発生するので、血行不良が原因の手や肩の凝り、痛み、ストレスを緩和する効果をもたらす。
【発明を実施するための最良の形態】
【０００６】  以下、本発明の実施の形態について説明する。説明にあたつては普遍的で需要も多いと考えられる歩行用杖の把持部に適用した形態について記述する。
（イ）図１に示したように杖主柱（１）の上端部にある把持部（２）の表面、裏面そし        て上縁面に小穴（３）を多数かつ任意の位置に穿つ。小穴（３）の間隔に制限は        ないが、１２ミリメートル程度がのぞましい。
（ロ）図２に小穴（３）の形態を示す。永久磁石（４）の大きさには制限はないが直径        ６ミリメートル程度のものがのぞましい。小穴（３）の内径と永久磁石（４）の        外径との間には隙間ができるように穴明けする。小穴（３）の深さは永久磁石（        ４）の頂部が把持部（２）の表面より、わずかに高くなるよう加工する。（１ミ        リメートル程度がのぞましい。）
（ハ）小穴（３）に永久磁石（４）を嵌め小穴（３）と永久磁石（４）の隙間に接着液        （５）を注入し永久磁石（４）を把持部（２）に固着させる。接着液（５）は接        着性のよいものがのぞましい。注入に際しては接着液（５）が過度に溢れないよ        うにする。
本発明は、以上のような構成で、磁気伝達把持部（２）を握つたときは、把持感覚と磁気による刺激感覚が一体となつて手の平に伝わつてくる。
【実施例１】
【０００７】  （イ）図３、図４に示すように、接着液（５）の代わりに接着テープ（６）を用いて永        久磁石（４）を固定してもよい。この際、小穴（３）の内径と永久磁石（４）の        外径との隙間を小さくして永久磁石（４）を圧入気味に小穴（３）に嵌め込むよ        うな締り嵌めにするのがのぞましい。
（ロ）接着テープ（６）は片面接着のものを用いる。そして図３のように鉢巻き状に永        久磁石（４）を抑えながら巻きつけて行く。
（ハ）小穴（３）を明けないで永久磁石（４）を直接、瞬間接着液で仮り付けしてから        接着テープ（６）を巻きつけてゆくのもよい。
（ニ）接着テープ（６）は把持部（２）の把持方向（長手方向）に平行に並列に貼り付        けしてもよい。
【実施例２】
【０００８】  図５に示すように接着液（５）あるいは接着テープ（６）の代わりに熱収縮性プラスチツクチユーブ（７）を用いて永久磁石（４）を固定してもよい。この際、永久磁石（４）を把持部（２）に直接、配列して瞬間接着液で仮り付けする。
次に熱収縮性プラスチツクチユーブ（７）を把持部全体にわたり覆い被せる。杖主柱（１）との結合部は熱収縮性プラスチツクチユーブ（７）にスリットを入れて杖主柱（１）を通しておく。把持部（２）全体を包んだ熱収縮性プラスチツクチユーブ（７）に熱湯を浴びせて加熱し該チユーブを収縮させる。この収縮圧により永久磁石（４）を把持部（２）に固定させる。
【図面の簡単な説明】
【０００９】
【図１】  本発明の正面図
【図２】  図１の一部を切り欠いた断面図
【図３】  実施例１の正面図
【図４】  図３の一部を切り欠いた断面図
【図５】  実施例２の正面図
【符号の説明】
【００１０】      １  杖主柱
２  把持部
３  小穴
４  永久磁石
５  接着液
６  接着テープ
７  熱収縮性プラスチツクチユーブ
【図１】
2006311986.tif 000003
【図２】
2006311986.tif 000004
【図３】
2006311986.tif 000005
【図４】
2006311986.tif 000006
【図５】
2006311986.tif 000007
(57)【要約】【課題】体にたまった静電気が、いっきに指先などより放電する痛み、火花を解消するために、アースのついた靴を提供する。【解決手段】靴の底敷２と靴底３をアース線４でつなぐことにより静電気は、足の裏から地面に放電してくれ、不快な痛み、火花から解放される。【選択図】図１
2006311988.tif 000002
【特許請求の範囲】
【請求項１】
靴にアースをとりつけて体にたまった静電気を足の裏から地面に逃がす。
【発明の詳細な説明】
【技術分野】
【０００１】本発明は、自然に体に蓄った静電気が、いっきに体の外に出る時の痛み、火花を何も持たずに解消できるようにしたものである。
【背景技術】
【０００２】従来は、静電気を逃がしてくれるキーホルダーはありますが静電気を逃がしてくれる靴はなかった。
【発明の開示】
【発明が解決しようとする課題】
【０００３】冬とか、湿度の少ない乾燥した日に多く観られる症状で、何かに触ろうとすると、指先などから静電気が、いっきに放電する時に生じる火花と痛い不快感があった。
本発明は、この課題を何も手に持たない状態で解決するためになされたものである。
【課題を解決するための手段】
【０００４】靴の底敷２の足の接する上面と、靴底３の地面に接する部分をアース線４でむすび、静電気を足の裏から地面に逃げる道を作ってやる。
【発明の効果】
【０００５】手には何も持たなくてよいので、両手作業もスムーズにでき、地面に足がついているだけで、いつも放電してくれるので、うっかり痛い火花を出すこともなくなる。
【実施例１】
【０００６】
【図面の簡単な説明】
【０００７】
【図１】本発明の立面図である。
【図２】本発明の断面図である。
【符号の説明】
【０００８】１  靴本体
２  底敷
３  靴底
４  アース線
【図１】
2006311988.tif 000003
【図２】
2006311988.tif 000004
(57)【要約】【課題】パソコンのキーボードを扱うサラリーマンの皆様のいろいろな苦情を聞き第一番目に多いのが、首筋、肩凝り、の悩みである、なぜパソコンを扱うと首筋の凝り、肩凝り、が発生するのかを、徹底的原因究明した肩凝り予防の肘充て具付事務机を提供する。【解決手段】従来型事務机（１）に対し、集成材寄木ずくりよりなる机甲板（２）を事務机（１）の上に乗せ手前両側に張出し部（４）を設けて、中央を凹部（５）とした机甲板（２）に肘充て具（３）を備えて固定する肩凝り予防の肘充て具付事務机【選択図】        図２
2006311990.tif 000002
【特許請求の範囲】
【請求項１】
従来型事務机（１）に対し、集成材寄木ずくりよりなる机甲板（２）を事務机（１）の上に乗せ手前両側に張り出し部（４）を設け、中央を凹部（５）とした机甲板（２）に肘充て具（３）を備えて固定する肩こり予防の肘充て具付事務机
【請求項２】
従来型の机甲板（１）を取り外し、集成材寄木ずくりよりなる机甲板（２）を付け替える肩凝り予防の肘充て具付事務机
【請求項３】
同質同様なる形状の甲板（２）に、甲板張出し部（３）を一体化してなる請求項１、又は請求項２の肩凝り予防の肘充て具付事務机。
以上の構成よりなる肩凝り予防の肘充て具付事務札
【発明の詳細な説明】
【技術分野】
【０００１】本発明はパソコンのキーボードを扱うサラリーマンの皆様のいろいろな苦情を聞き第一番目に多いのが首筋、肩こりの悩みである、なぜパソコンを扱うと首筋のこり肩こり、が発生するのかのを、徹底的原因究明した肩こり予防肘充て具に関するものである。
【背景技術】
【０００２】従来の机上事務からすると今は、コンピュータ、パソコンとゆうスバラシイ事務機能を発揮する優れものであるが、別な角度から見ると、扱う人の体を虫食む大変な代物でもある。
【発明が解決しようとする課題】
【０００３】それには、次のような欠点があった。
パソコンを扱うと、体の動きもなく一日中強い光の画面を見ながら頭の働きと目の動きだけで、第三者から見れば非常に楽な仕事に見られがちであるが、当の本人は常に首筋や肩の疲れもあって特に目が疲れ、体の動きがない為か、又は、腕や肘がちゅうぶらりんで、前傾姿勢の為か腰までも疲れる仕事である。
本発明は、以上のような欠点をなくすためになされたものである
【課題を解決するための手段】
【０００４】従来型事務机（１）に対し、集成寄木ずくりよりなる机甲板（２）を事務机（１）の上に乗せ手前両側に張り出部（４）を設け、中央を凹部（５）とした机甲板（２）に肘充て具（３）を備えて固定する肩こり予防の肘充て具付事務机
【発明の効果】
【０００５】机の甲板を手前両側に張出して、図（２）肘を受ける肘充て具（３）を備えた、今まで腕，肘を、宙に浮かせた状態から、肘充て具を利用し、肘が安定したため肩に力が加えられなくなったため肩にも負担が掛からぬため、肩こりがおこらなくなった。
【発明をするための最良の形態】
【０００６】以下本発明の実施をするための最良の形態について説明する。
従来型の机甲板（１）に集成寄木ずくり甲板（２）を乗せ、手前の両側に張出し部分（４）を設けてその中央を凹部（５）として両側の張出し部（４）の上に中圧ウレタン詰の肘充て具（３）を備えて腕肘を宙に浮くことなく、前後左右に動く安定した肘の高さを保つことができる。
【図面の簡単な説明】
【０００７】
【図１】本発明の側面図
【図２】本発明の斜視図
【図３】本発明の斜視図
【符号の説明】
（１）従来型の机甲板
（２）集成寄木つくり甲板
（３）肘充て具
（４）張出し部
（５）凹部
【図１】
2006311990.tif 000003
【図２】
2006311990.tif 000004
【図３】
2006311990.tif 000005
(57)【要約】【課題】突然にブレーカーが切れた時に暗闇でも、手の届かない人でも、又非常時に避難用具の一部としても使える靴べら付き配電盤操作具を提供する。【解決手段】樹脂性、絶縁性、柔軟性を備えた枠体の中に豆電球を入れ、孔部でブレーカーのスイッチの入り切りや電池収納部下部にホイッスルと伸縮自在な伸縮機能を設け、高い場所や暗い場所、そして非常時の避難用具として使用できることを特徴とする靴べら付き配電盤操作具。【選択図】    図１
2006311997.tif 000002
【特許請求の範囲】
【請求項１】
樹脂性、絶縁性、柔軟性を備えた枠体に豆電球を入れ、孔部でブレーカーのスイッチの入り切りや電池収納部下部にホイッスルと伸縮自在な伸縮機能を設け、高い場所や暗い場所、そして非常時の際の避難用具の一部として使用できることを特徴とする靴べら付き配電盤操作具。
【発明の詳細な説明】
【技術分野】
【０００１】  本発明は、突然ブレーカーが切れた時に暗闇でも使用が出来、手が届かない人でも、非常時に避難用具の一部としても使える靴べら付き配電盤操作具に関するものである。
【背景技術】
【０００２】  配電盤のある場所は玄関付近に集中していて高い場所に設置されている。
暗闇のときにブレーカーが落ちた時、手探り状態になってしまい危険である。
【発明の開示】
【発明が解決しようとする課題】
【０００３】そのために次のような問題点があった。
（イ）ブレーカーに直接手が届かない人や身体の自由が利かない人はブレーカーのスイッチを入れる作業が困難である。
（ロ）突然の暗闇での作業となるので、操作が難しく二次災害の危険がある。
（ハ）ブレーカーの漏電などで、感電する恐れがある。
本発明はこれらの問題を解決するためになされたものである。
【課題を解決するための手段】
【０００４】  樹脂性、絶縁性、柔軟性を備えた枠体の中に豆電球入れ照明部とし、枠体の孔部はブレーカースイッチの入り切りの作業を行う。
電池収納部の下部に非常時の避難具としてホイッスルを設け、これに中空の中筒を被せさらに、伸縮自在の機能を持たせるため中空の外筒を被せる。
暗闇での作業となる場合は照明のスイッチを入れ照らし、ブレーカーのスイッチに届かない場合は中筒と外筒を伸ばし締め具で固定させて使用する
以上を特徴とする靴べら付き配電盤操作具である。
【発明の効果】
【０００５】日常的には靴べらとして玄関に置いてあり、停電などの非常時にはブレーカーのスイッチを暗がりの中でも照明を照らしながら安全確実に操作できる。
【発明を実施するための最良の形態】
【０００６】    以下、本発明の実施の形態を説明する。
（イ）  図２に示すように、絶縁性や柔軟性のあるゴム状の樹脂で出来ている方形状の枠体（１）の中に照明のための豆電球（９）２個を内臓させ、電池収納部（４）の上部に枠体（１）の首部（１０）をはめ込む。
（ロ）  （４）電池収納部（４）下部の挿入部（１２）にホイッスル（１３）を挿しこみ、これに中空の中筒（５）を被せネジ入れる、さらに中空の外筒（７）を被せ締め具（６）で固定する。
本発明は以上の構成よりなっている。
本発明を使用する時は、外筒（７）の靴べら（８）寄りの柄を持ち、配電盤のスイッチを枠体（１）の孔部（２）に差し入れ掛り部（１４）を利用して入り切りを行なう。
【図面の簡単な説明】
【０００７】
【図１】  本発明の斜視図
【図２】  本発明の分解斜視図
【図３】  本発明の斜視図
【図４】  本発明の枠体の断面図
【図５】  本発明の使用状態を示す斜視図
【符号の説明】
【０００８】  １  枠体
２  孔部
３  スイッチ
４  電池収納部
５  中筒
６  締め具
７  外筒
８  靴ベラ
９  豆電球
１０  首部
１１  電池
１２  挿入部
１３  ホイッスル
１４  掛り部
１５  配電盤
【図１】
2006311997.tif 000003
【図２】
2006311997.tif 000004
【図３】
2006311997.tif 000005
【図４】
2006311997.tif 000006
【図５】
2006311997.tif 000007
(57)【要約】【課題】  左右の靴を正しく履くことができ、無造作に靴を脱いだ時でも、簡単に靴を揃えることができるマグネット装着靴を提供する。【解決手段】  靴の内側の側面にマグネットを装着し、磁器の力で左右の靴がくっつくようにする。【選択図】  図１
2006311991.tif 000002
【特許請求の範囲】
【請求項１】
靴の内側の側面（１）にマグネットを装着し、磁力で靴を揃えるマグネット装着靴
【請求項２】
靴の内側の内面（３）にマグネットを装着し、磁力で靴を揃えたり、足のつぼを刺激したりするマグネット装着靴
【発明の詳細な説明】
【技術分野】
【０００１】  この発明は、靴の内側にマグネットを装着した靴に関するものである。
【背景技術】
【０００２】  従来、靴は左右対称で、子どもが自分で靴を履く際に、左右をまちがえて履くことが多く見られた。また、正しく靴を揃えるという行為は、脱いだ本人の自発的な行為であるため、靴の左右を見分ける能力と、きちんと揃えようとする意識が必要である。【０００３】  そこで、左右を間違わずに靴を履き、正しく揃えて脱ぐために、「しつけ用子ども靴」が知られている。（実用新案公開平６−３８６０７）【０００４】  「しつけ用子ども靴」は、マークを合わせることにより、子どもに左右を認識させ、楽しく靴を揃えることを教えるという目的であった。
【発明の開示】
【発明が解決しようとする課題】
【０００５】  これは、次のような欠点があった。
子どもはマークや絵柄を見て左右を認識することはできるが、靴を脱いだ後にきちんと揃えるかどうかは、親の声かけや確認が必要となる。
また、保育園や幼稚園、小学校や水泳教室など、子どもが靴を履きかえる機会が多く、たくさんの靴が散乱するおそれの多い場所では、靴が片方なくなったり、履き間違えられたりすることが、しばしばある。
本発明は、以上のような欠点を無くすためになされたものである。
【課題を解決するための手段】
【０００６】  靴の内側の側面または内面に、強力マグネットを装着する。
本発明は、以上の構成よりなる、マグネット装着靴である。
【発明の効果】
【０００７】  靴を無造作に脱いだ時でも、磁力で靴がくっつき、左右の靴を揃えることができる。
また、マグネットは内側にだけ付いているので、左右を間違えることもない。
大人の靴には、内側の内面にマグネットを装着し、足のツボにあたるようにすれば、磁器の力で健康促進効果も期待できるため、一挙両得である。
【発明を実施するための最良の形態】
【０００８】  以下、本発明の実施形態を図面に基づいて説明する。
図１では、靴を揃えた時に接する側面（１）に、強力マグネットを１個（ａ）もしくは２個（ｂ）装着したものである。子ども靴においては、靴の種類によって、内側の窪んでいる部分が違うため、それぞれの靴の形状に合わせて、装着位置を決定することが望ましい。【０００９】  次に、子ども靴におけるマグネットの色や形について一例を挙げる。
色は、右足用が赤、左足用が青というように、左右のマグネットの色を変えることで、子どもにとっての左右の認識が、より明確化される。
形は、丸形以外にも、星形やハート型など、かわいい形のマグネットを装着することによって、子どもが楽しく靴を履いたり脱いだりすることができる。【００１０】  大人の履く靴においては、図２で示すように、靴の内側の足に接する面（３）に強力マグネットを装着する。これは、くるぶしの下にある照会とよばれるツボで、肩こりに効くと言われている。この際、くるぶしにマグネットが当たらないように、大きさは子ども用より小ぶりで、丸形が好ましい。【００１１】  以上、本発明を実施するにあたって、具体的な一例を示したが、これは限定的に解釈されるものではない。発明の目的を遂行するために、様々な形で実施することができる。
【図面の簡単な説明】
【００１２】
【図１】  本発明の、子ども用靴の実施例の正視図である。
【図２】  本発明の、子ども用靴の実施例の斜視図である。
【図３】  本発明の、大人用靴の実施例の正視図である。
【符号の説明】
【００１３】  １  靴の側面（外側）
２  マグネット
３  靴の側面（内側）
【図１】
2006311991.tif 000003
【図２】
2006311991.tif 000004
【図３】
2006311991.tif 000005